(57)【要約】　　　（修正有）【課題】米麦袋の開口部の開閉を容易にする。【解決手段】米、麦等を収納するための米麦袋８に於て、米麦袋８にマルタック９を設け、米麦袋８の開口部５を折曲して開口部５を閉じた時、マルタック９によって開口部５を閉じた状態に保持するように構成する。【選択図】　図１
0003097735.tif 000002
【実用新案登録請求の範囲】
【請求項１】
米、麦等を収納するための米麦袋に於て、該米麦袋にマルタックを設け、該米麦袋の開口部を折曲して該開口部を閉じた時、該マルタックによって該開口部を閉じた状態に保持するように構成されていることを特徴とする米麦袋。
【請求項２】
上記マルタックは紐が取り付けられた紐付きマルタック部と、紐無しマルタック部とによって構成され、前記紐付きマルタック部は上記開口端近傍の外周部に設けられ、前記紐無しマルタック部は該紐付きマルタック部と反対側外周部に設けられ、且つ、該紐付きマルタック部よりも前記開口端から離間する位置に配設されていることを特徴とする請求項１記載の米麦袋。
【請求項３】
上記紐無しマルタック部は上記開口端から離間する方向に所定間隔離間して複数取り付けられていることを特徴とする請求項２記載の米麦袋。
【請求項４】
上記マルタックは紐が取り付けられた紐付きマルタック部と、紐無しマルタック部とによって構成され、該紐無しマルタック部は上記開口端近傍の外周部に設けられ、前記紐付きマルタック部は該紐無しマルタック部と反対側外周部に設けられ、且つ、該紐無しマルタック部よりも前記開口端から離間する位置に配設されていることを特徴とする請求項１記載の米麦袋。
【請求項５】
米、麦等を収納するための米麦袋に於て、該米麦袋に面ファスナーを設け、該米麦袋の開口部を折曲して該開口部を閉じた時、該面ファスナーで該開口部を閉じた状態に保持するように構成されていることを特徴とする米麦袋。
【請求項６】
上記面ファスナーはフック面を備えたフック面部材と、ループ面を備えたループ面部材とによって構成され、上記米麦袋の開口端近傍を切欠して切欠部を形成し、該切欠部と対峙する内周部に、前記フック面部材を設け、前記切欠部の下方外周部に前記ループ面部材を配設したことを特徴とする請求項５記載の米麦袋。
【請求項７】
上記ループ面部材は上記開口端から離間する方向に所定間隔離間して複数取り付けられていることを特徴とする請求項６記載の米麦袋。
【請求項８】
上記面ファスナーはフック面を備えたフック面部材と、ループ面を備えたループ面部材とによって構成され、上記米麦袋の開口端近傍を切欠して切欠部を形成し、該切欠部と対峙する内周部に、前記ループ面部材を設け、前記切欠部の下方外周部に前記フック面部材を配設したことを特徴とする請求項５記載の米麦袋。
【請求項９】
上記フック面部材は上記開口端から離間する方向に所定間隔離間して複数取り付けられていることを特徴とする請求項８記載の米麦袋。
【考案の詳細な説明】
【０００１】
【考案の属する技術分野】
本考案は、米麦袋に関するものであり、特に、開口部の開閉を容易にした米麦袋に関するものである。
【０００２】
【従来の技術および考案が解決しようとする課題】
従来の此種米麦袋を図８及び図９に従って説明する。図８に於て、１は米麦袋であり、該米麦袋１は内層１ａが未漂白パルプ、外層１ｂが漂白パルプより成る漉き合わせ紙で構成されて折り目を付与したマチ付の長方体の筒状に形成され、該米麦袋１の前胴部２に窓用の孔３が開穿されており、且つ、該前胴部２の前記内層１ａと外層１ｂ間に透明フィルム４が挟着されて前記孔３を塞ぐように構成されている。
【０００３】
更に、該米麦袋１の開口部５の近傍の後胴部６に縛り紐７が該開口部５の開口端と平行方向に設けられている。
【０００４】
而して、該米麦袋１内に米或いは麦を入れた後、該米麦袋１の開口部５を閉じる時は、前記開口部５の前胴部２と前記後胴部６を密着させて該開口部５を閉じ、図９に示す如く該開口部５を複数回巻き込んで前記縛り紐７を結束すれば該開口部５は閉じた状態で保持される。
【０００５】
そして、前記米麦袋１の開口部５を保持した状態から、開口部５を開く時は、前記縛り紐７の結束を解き、巻き込まれた前記開口部５を巻き戻し、前記前胴部２と前記後胴部６とを離反させれば、該開口部５が開放される。
【０００６】
同様な米麦袋は例えば特許文献１にも示されている。
【０００７】
然しながら、前記米麦袋は、開口部を閉じる時、開口部を複数回巻き込んで、縛り紐で結束し、該米麦袋の開口部を開く時は、該縛り紐の結束を解き、該開口部を巻き戻すので、その操作がやや煩雑である。
【０００８】
そこで、米麦袋の開口部の開閉を容易にするために解決すべき技術的課題が生じてくるのであり、本考案はこの課題を解決することを目的とする。
【０００９】
【特許文献１】
特開平１１−５９６９４号公報　（第１−５頁、第１−８図）
【００１０】
【課題を解決するための手段】
本考案は上記目的を達成するために提案されたものであり、米、麦等を収納するための米麦袋に於て、該米麦袋にマルタックを設け、該米麦袋の開口部を折曲して該開口部を閉じた時、該マルタックによって該開口部を閉じた状態に保持するように構成されている米麦袋、
及び、上記マルタックは紐が取り付けられた紐付きマルタック部と、紐無しマルタック部とによって構成され、前記紐付きマルタック部は上記開口端近傍の外周部に設けられ、前記紐無しマルタック部は該紐付きマルタック部と反対側外周部に設けられ、且つ、該紐付きマルタック部よりも前記開口端から離間する位置に配設されている米麦袋、
及び、上記紐無しマルタック部は上記開口端から離間する方向に所定間隔離間して複数取り付けられている米麦袋、
及び、上記マルタックは紐が取り付けられた紐付きマルタック部と、紐無しマルタック部とによって構成され、該紐無しマルタック部は上記開口端近傍の外周部に設けられ、前記紐付きマルタック部は該紐無しマルタック部と反対側外周部に設けられ、且つ、該紐無しマルタック部よりも前記開口端から離間する位置に配設されている米麦袋、
及び、米、麦等を収納するための米麦袋に於て、該米麦袋に面ファスナーを設け、該米麦袋の開口部を折曲して該開口部を閉じた時、該面ファスナーで該開口部を閉じた状態に保持するように構成されている米麦袋、
及び、上記面ファスナーはフック面を備えたフック面部材と、ループ面を備えたループ面部材とによって構成され、上記米麦袋の開口端近傍を切欠して切欠部を形成し、該切欠部と対峙する内周部に、前記フック面部材を設け、前記切欠部の下方外周部に前記ループ面部材を配設した米麦袋、
及び、上記ループ面部材は上記開口端から離間する方向に所定間隔離間して複数取り付けられている米麦袋、
及び、上記面ファスナーはフック面を備えたフック面部材と、ループ面を備えたループ面部材とによって構成され、上記米麦袋の開口端近傍を切欠して切欠部を形成し、該切欠部と対峙する内周部に、前記ループ面部材を設け、前記切欠部の下方外周部に前記フック面部材を配設した米麦袋、
並びに、上記フック面部材は上記開口端から離間する方向に所定間隔離間して複数取り付けられている米麦袋を提供するものである。
【００１１】
【考案の実施の形態】
以下、本考案の一実施の形態を図１乃至図７に従って詳述する。尚、説明の都合上、従来例と同一構成部分については同一符号を付してその説明を省略する。図１に於て、８は米麦袋であり、該米麦袋８は、従来例の米麦袋（図８に於て１）の縛り紐（図８に於て７）に代えて、マルタック９を設けたものである。　該マルタック９は、紐１０が取り付けられた紐付きマルタック部１１と、紐無しマルタック部１２とによって構成され、該紐付きマルタック部１１は前記米麦袋８の開口端１３近傍の外周部の後胴部６に設けられ、前記紐無しマルタック部１２は該紐付きマルタック部１１と反対側の前胴部２外周部に設けられ、且つ、該紐付きマルタック部１１よりも前記開口端１３から更に離間した位置に取り付けられている。
【００１２】
そして、前記紐付きマルタック部１１と前記紐無しマルタック部１２との間に前記開口端１３と略平行に折り目部１４が形成され、前記開口端１３近傍の後胴部６を前胴部２側に折曲自在に構成されている。
【００１３】
而して、前記米麦袋８内に米或いは麦を入れた後、該米麦袋８の開口部５を閉じる時は、前記開口部５近傍の前胴部２と前記後胴部６を密着させて該開口部５を閉じ、前記折り目部１４で折曲して、前記開口端１３近傍の後胴部６を前胴部２側に折り曲げ、図２に示す如く、前記紐付きマルタック部１１の紐１０を前記紐無しマルタック部１２及び該紐付きマルタック部１１に巻回して、前記開口部５を閉じた状態に保持する。
【００１４】
そして、前記米麦袋８の開口部５を閉じた状態に保持した状態から該開口部５を開く時は、前記マルタック９の紐１０を解き、折曲した該開口部５を元に戻し、前記前胴部２と前記後胴部６とを離反させれば、該開口部５が開放する。
【００１５】
斯くして、前記米麦袋８は前記開口部５を前記折り目部１４によって折曲し、前記紐１０を前記紐付きマルタック部１１、及び、紐無しマルタック部１２に巻回することにより、該開口部５を閉じて該開口部５を閉じた状態に保持することができ、操作が極めて容易になる。
【００１６】
同様に、該開口部５を開く時も、前記紐１０を解き、前記折り目部１４を展張して前記開口端１３を開けばよく、操作が容易である。
【００１７】
又、図示は省略するが、前述の前記紐付きマルタック部１１、及び、前記紐無しマルタック部１２の取り付け位置に代えて、前記後胴部６に設けた該紐付きマルタック部１１と、前記前胴部２に設けた該紐無しマルタック部１２とを、共に前記開口端１３から更に離間した位置に設けることも可能である。然る時は、前記米麦袋８内に米或いは麦を入れて前記開口部５を閉じる時、該開口部５を少なくとも１回以上巻き込んで閉じ、その後、前記紐付きマルタック部１１の紐１０を前記紐無しマルタック部１２に巻回して該開口部５を閉じた状態に保持することが可能である。
【００１８】
更に、図示は省略するが、前述の前記紐付きマルタック部１１、及び、前記紐無しマルタック部１２の取り付け位置に代えて、前記後胴部６に設けた該紐付きマルタック部１１と、前記前胴部２に設けた該紐無しマルタック部１２とを共に前記開口端１３から略同寸法離間して設けることも可能である。然る時は、前記米麦袋８内に米或いは麦を入れて前記開口部５を閉じる時、該開口部５を少なくとも１回以上巻き込んで閉じ、その後、前記紐付きマルタック部１１の紐１０によって該開口部５を上方から押さえながら該紐１０を前記紐無しマルタック部１２に巻回して該開口部５を閉じた状態に保持することが可能である。
【００１９】
更に又、前記紐付きマルタック部１１に代えて前記紐無しマルタック部１２を設け、且つ、前記紐無しマルタック部１２に代えて前記紐付きマルタック部１１を設けることも可能である。然る時も、前述と略同様の作用効果を得ることができる。
【００２０】
図３は他の米麦袋１５を示し、該米麦袋１５は前記米麦袋（図１に於て８）のマルタック（図１に於て９）に代えて、マルタック１６を設けたものであり、該マルタック１６は前記マルタック（図１に於て９）に加えて前記紐無しマルタック部１２と同じ紐無しマルタック部１７を設けたものであり、該紐無しマルタック部１７は開口端１３から離間する方向に該紐無しマルタック部１２から所定間隔離間して取り付けられている。
【００２１】
従って、前記米麦袋１５は、該米麦袋１５内に収納する米や麦等の内容物が減少した時には、所定位置で該米麦袋１５を折り曲げて、紐付きマルタック部１１の紐１０を前記紐無しマルタック部１７と該紐付きマルタック部１１間に巻回して該米麦袋１５の開口部５を閉じた状態に保持することができる。
【００２２】
斯くして、前記米麦袋１５は内容物が減少した時に該米麦袋１５を更にコンパクトにすることができる。
【００２３】
尚、前記紐無しマルタック部１７を前記開口端１３から離間する方向に所定間隔離間して複数配設することも可能である。然る時は、前記米麦袋１５を更にコンパクトにすることができる。
【００２４】
又、図示は省略するが、前記米麦袋１５の前記マルタック１６に代えて、少なくとも１つ以上の紐付きマルタック部材１１を該米麦体１５の後胴部６外周部、又は、前胴部２外周部の所定位置に前記開口端１３から離間する方向に設け、一方、少なくとも１つ以上の紐無しマルタック部材１２を前記紐付きマルタック部材１１と反対位置になる該米麦体１５の前胴部２外周部、又は、後胴部６外周部の所定位置に前記開口端１３から離間する方向に設けることも可能である。然る時は、前記米麦袋１５内に米或いは麦を入れて前記開口部５を閉じる時、該開口部５を少なくとも１回以上巻き込んで閉じ、その後、少なくとも１つの前記紐付きマルタック部材１１の紐１０を少なくとも１つの前記紐無しマルタック部材１２に巻回して該開口部５を閉じた状態に保持することが可能である。
【００２５】
図４に於て、１８は米麦袋であり、該米麦袋１８は、従来例の米麦袋（図８に於て１）の縛り紐（図８に於て７）に代えて、面ファスナー１９を設けたものである。
【００２６】
そして、該面ファスナー１９は、フック面を備えたフック面部材２０と、ループ面を備えたループ面部材２１とによって構成され、前記米麦袋１８の開口端１３近傍を切欠して切欠部２２が形成され、該切欠部２２と対峙する内周部に、前記フック面部材２０が設けられ、前記切欠部２２の下方外周部に前記ループ面部材２１が取り付けられている。
【００２７】
又、前記フック面部材２０と前記ループ面部材２１との間に前記開口端１３と略平行に折り目部２３が形成され、前記開口端１３近傍の後胴部６を前胴部２側に折曲自在に構成されている。
【００２８】
而して、前記米麦袋１８内に米或いは麦を入れた後、該米麦袋１８の開口部５を閉じる時は、該開口部５近傍の前胴部２と前記後胴部６を密着させて該開口部５を閉じ、前記折り目部２３で折曲して、前記開口端１３近傍の後胴部６を前胴部２側に折り曲げ、図５に示す如く、前記フック面部材２０を前記ループ面部材２１に係止させて、前記開口部５を閉じた状態に保持する。
【００２９】
そして、前記米麦袋１８の開口部５を閉じた状態に保持した状態から該開口部５を開く時は、前記フック面部材２０と前記ループ面部材２１とを剥離し、前記前胴部２と前記後胴部６とを離反させれば、前記開口部５が開放する。
【００３０】
斯くして、前記米麦袋１８は前記開口部５を前記折り目部２３によって折曲し、前記フック面部材２０を前記ループ面部材２１に係止させて、該開口部５を閉じた状態に保持することができ、前記開口部５を閉じる操作が極めて容易になる。
【００３１】
同様に、該開口部５を開く時も、前記フック面部材２０と前記ループ面部材２１とを剥離すればよく、操作が容易である。
【００３２】
図６は前記米麦袋１８の前記切欠部２２を拡大し、即ち、該米麦袋１８の開口端１３近傍の前胴部２、及び、マチ部２４，２５を切欠して、後胴部６のみを残し、該後胴部６の上端近傍に前記フック面部材２０を設けたものである。このように、前記切欠部２２は適宜大きさに設定可能である。然る時も、図４に示す米麦袋１８と略同様の効果が期待できる。
【００３３】
図７は他の米麦袋２６を示し、該米麦袋２６は前記米麦袋（図４に於て１８）の面ファスナー（図４に於て１９）に代えて、面ファスナー２７を設けたものであり、該面ファスナー２７は前記面ファスナー（図４に於て１９）に加えて前記ループ面部材２１と同じループ面部材２８を設けたものであり、該ループ面部材２８は前記開口端１３から離間する方向に該ループ面部材２１から所定間隔離間して取り付けられている。
【００３４】
従って、前記米麦袋２６は、該米麦袋２６内に収納する米や麦等の内容物が減少した時には、所定位置で該米麦袋１５を折り曲げて、前記フック面部材２０と前記ループ面部材２８とを係止して該米麦袋２６の開口部５を閉じた状態に保持することができる。
【００３５】
斯くして、前記米麦袋２６は内容物が減少した時に該米麦袋２６を更にコンパクトにすることができる。
【００３６】
尚、前記ループ面部材２１は前記開口端１３から更に離間する方向に複数設けることも可能である。然る時は、前記米麦袋２６を更にコンパクトにすることができる。
【００３７】
又、前記ループ面部材２１、２８に代えてフック面部材を用い、且つ、前記フック面部材２０に代えてループ面部材を用いることも可能である。然る時も前述の効果と略同様の作用効果を得ることができる。
【００３８】
更に、図示は省略するが、前記米麦体２６の前記切欠き部２２を形成することなく、又、該米麦袋２６の前記フック面部材２０、前記ループ面部材２１、及び、前記ループ面部材２８に代えて、少なくとも１つ以上のフック面部材２０を該米麦体２６の前胴部２外周部、又は、後胴部６外周部の所定位置に前記開口端１３から離間する方向に設け、一方、少なくとも１つ以上のループ面部材２１を前記フック面部材２０と反対位置になる該米麦体２６の後胴部６外周部、又は、前胴部２外周部の所定位置に前記開口端１３から離間する方向に設けることも可能である。然る時は、前記米麦袋２６内に米或いは麦を入れた後、前記開口部５を閉じる時、該開口部５を少なくとも１回以上巻き込んで閉じ、その後、少なくとも１つの前記フック面部材２０を少なくとも１つの前記ループ面部材２１に係止させて、該開口部５を閉じた状態に保持することが可能である。
【００３９】
尚、本考案は、本考案の精神を逸脱しない限り種々の改変を為すことができ、そして、本考案が該改変されたものに及ぶことは当然である。
【００４０】
【考案の効果】
本考案は上記一実施の形態に詳述したように、請求項１記載の考案は、米麦袋にマルタックを設け、該米麦袋の開口部を折曲して該開口部を閉じた時、該マルタックによって該開口部を閉じた状態に保持するように構成されているので、前記米麦袋は開口部を容易に開閉することができる。
【００４１】
又、請求項２記載の考案は、上記マルタックは紐が取り付けられた紐付きマルタック部と、紐無しマルタック部とによって構成され、前記紐付きマルタック部は上記開口端近傍の外周部に設けられ、前記紐無しマルタック部は該紐付きマルタック部と反対側外周部に設けられ、且つ、該紐付きマルタック部よりも前記開口端から離間する位置に配設されているので、請求項１記載の考案と同様の効果が期待できる。
【００４２】
更に、請求項３記載の考案は、上記紐無しマルタック部は上記開口端から離間する方向に所定間隔離間して複数取り付けられているので、請求項２記載の考案の効果に加え、米麦袋を内容物の減少に合わせてコンパクトに閉じることができる。
【００４３】
更に又、請求項４記載の考案は、上記マルタックは紐が取り付けられた紐付きマルタック部と、紐無しマルタック部とによって構成され、該紐無しマルタック部は上記開口端近傍の外周部に設けられ、前記紐付きマルタック部は該紐無しマルタック部と反対側外周部に設けられ、且つ、該紐無しマルタック部よりも前記開口端から離間する位置に配設されているので、請求項２記載の考案と略同様の効果が期待できる。
【００４４】
そして、請求項５記載の考案は、米麦袋に面ファスナーを設け、該米麦袋の開口部を折曲して該開口部を閉じた時、該面ファスナーで該開口部を閉じた状態に保持するように構成されているので、請求項１記載の考案と同様の効果が期待できる。
【００４５】
又、請求項６記載の考案は、上記面ファスナーはフック面を備えたフック面部材と、ループ面を備えたループ面部材とによって構成され、上記米麦袋の開口端近傍を切欠して切欠部を形成し、該切欠部と対峙する内周部に、前記フック面部材を設け、前記切欠部の下方外周部に前記ループ面部材を配設したので、請求項１記載の考案の効果と略同様の効果が期待できる。
【００４６】
更に、請求項７記載の考案は、上記ループ面部材は上記開口端から離間する方向に所定間隔離間して複数取り付けられているので、請求項３記載の考案と略同様の効果が期待できる。
【００４７】
更に又、請求項８記載の考案は、上記面ファスナーはフック面を備えたフック面部材と、ループ面を備えたループ面部材とによって構成され、上記米麦袋の開口端近傍を切欠して切欠部を形成し、該切欠部と対峙する内周部に、前記ループ面部材を設け、前記切欠部の下方外周部に前記フック面部材を配設したので、請求項６記載の考案と略同様の効果が期待できる。
【００４８】
そして、請求項９記載の考案は、上記フック面部材は上記開口端から離間する方向に所定間隔離間して複数取り付けられているので、請求項７記載の考案と略同様の効果が期待できる等、正に著大なる効果を奏する考案である。
【図面の簡単な説明】
【図１】本考案の一実施の形態を示し、マルタックを備えた米麦袋の斜視図。
【図２】図１に示す米麦袋に内容物を収納し、マルタックで開口部を閉じた状態に保持した米麦袋の斜視図。
【図３】本考案の他の実施の形態を示し、複数箇所で係止自在のマルタックを備えた米麦袋の斜視図。
【図４】本考案の更に他の実施の形態を示し、面ファスナーを備えた米麦袋の斜視図。
【図５】図４に示す米麦袋に内容物を収納し、面ファスナーで開口部を閉じた状態に保持した状態を示す米麦袋の斜視図。
【図６】図４の切欠部を拡大した米麦袋の斜視図。
【図７】本考案の別の実施の形態を示し、複数箇所で係止自在の面ファスナーを備えた米麦袋の斜視図。
【図８】従来例を示し、米麦袋の斜視図。
【図９】図８の米麦袋に内容物を収納し、縛り紐で開口部を閉じた状態に保持した状態を示す米麦袋の斜視図。
【符号の説明】
５　　　　　　　　　　　　開口部
８，１５，１８，２６　　　米麦袋
９，１６　　　　　　　　　マルタック
１０　　　　　　　　　　　　紐
１１　　　　　　　　　　　　紐付きマルタック部
１２，１７　　　　　　　　　紐無しマルタック部
１３　　　　　　　　　　　　開口部
１９，２７　　　　　　　　　面ファスナー
２０　　　　　　　　　　　　フック面部材
２１，２８　　　　　　　　　ループ面部材
【図１】
0003097735.tif 000003
【図２】
0003097735.tif 000004
【図３】
0003097735.tif 000005
【図４】
0003097735.tif 000006
【図５】
0003097735.tif 000007
【図６】
0003097735.tif 000008
【図７】
0003097735.tif 000009
【図８】
0003097735.tif 000010
【図９】
0003097735.tif 000011